(57)【要約】【課題】鼻に貼付し、鼻腔を拡張させる鼻腔拡張テープであって、マスクの装着時に併せて鼻腔拡張テープを使用する場合、マスクと接合することによりマスクの気密性を高める鼻腔拡張テープ運搬台車を提供する。【解決手段】鼻に貼付し、鼻腔を拡張させる鼻腔拡張テープであって、前記鼻腔拡張テープの表面に接合層を備え、前記接合層がマスクの鼻当部と接合することにより、上記課題の解決を図る。マスクが不織布製等の場合は、接合層の表面が、脱着が容易な面ファスナーの雄部材から構成されていることが好ましい。【選択図】図１
2015024039.tif 000002
【特許請求の範囲】
【請求項１】
鼻に貼付し、鼻腔を拡張させる鼻腔拡張テープであって、
前記鼻腔拡張テープの表面に接合層を備え、
前記接合層がマスクの鼻当部と接合することを特徴とする鼻腔拡張テープ。
【請求項２】
前記鼻腔拡張テープは、
前記鼻腔拡張テープの裏面に、両面テープから構成されている粘着層と、
前記接合層と前記粘着層に挟持されている弾性部材と、を備え、
鼻の皮膚に鼻の外側から粘着されると共に、曲げられた前記弾性部材の弾性力により鼻腔を拡張させることを特徴とする請求項１記載の鼻腔拡張テープ。
【請求項３】
前記接合層は、該接合層の表面が面ファスナーの雄部材であることを特徴とする請求項１又は２記載の鼻腔拡張テープ。
【請求項４】
前記面ファスナーの雄部材は、マッシュルーム状であることを特徴とする請求項３記載の鼻腔拡張テープ。
【請求項５】
前記接合層は、該接合層の表面に接着剤が塗布されていることを特徴とする請求項１又は２記載の鼻腔拡張テープ。
【発明の詳細な説明】
【技術分野】
【０００１】
本発明は、鼻に貼付し、鼻腔を拡張させる鼻腔拡張テープに関し、特に、マスクの装着時に併せて鼻腔拡張テープを使用する場合、マスクと接合することによりマスクの気密性を高める鼻腔拡張テープに関するものである。
【背景技術】
【０００２】
従来、鼻に貼付し、鼻腔を拡張させる鼻腔拡張テープには特許文献１に示すもの等が知られている。また、鼻腔拡張作用を施したマスクには、特許文献２に示すもの等が知られている。
【０００３】
特許文献１に記載された発明は、鼻腔内に物体の挿入する必要なしに鼻詰まりを防ぐために、間隔を空けて離れた一対の端部表面を有する単一体のトラスを有し、そのトラスは該端部表面に固定され、そして該回復力に逆らって係合を維持するのに十分にそのような外壁組織の曝露された表面に係合することが可能であり、また、端部係合手段は、該端部表面間に位置するその表面において該トラスに固定され、そして該端部係合手段によって係合された該外壁組織の該曝露された表面間における人体構造の曝露された表面に係合することが可能であるが、該外壁組織への係合において該端部係合手段によって示される接着よりも弱い接着を有する中間係合手段を備える、というものである。
【０００４】
特許文献２に記載された発明は、紙製マスクの裏面上周部適当箇所に、市販の鼻腔拡張テープのような、鼻腔を拡張する機能を持たせた粘着部と、そこ以外の裏面上周部には粘着部を施したマスクを使用すると、鼻腔が広がるので、マスクを使用することで、妨げられた呼吸量を、回復せしめる。眼鏡使用者用は、鼻腔拡張部の以外のマスク裏面上周部全てに、施された粘着部も併せて利用すれば、上周部以外は粘着されないので、吐息が直接眼鏡方向には及びにくくなり、マスク装着時における吐息による眼鏡の曇りを解消し、粘着の副作用として、会話時にマスクがずれない。マスクの裏面左右周部にも粘着部を広げて施せば、耳かけ部が不用となる、というものである。
【先行技術文献】
【特許文献】
【０００５】
【特許文献１】特開２００５−８７７６６号公報
【特許文献２】特開２００６−３１４７３７号公報
【発明の概要】
【発明が解決しようとする課題】
【０００６】
特許文献１記載の従来の鼻腔拡張テープにおいては、マスクと鼻腔拡張テープを併用して使用する際に、マスクの種類によっては吐息がマスクの鼻当部周辺から漏れる等、気密性に問題がある場合があった。また、マスク装着時に眼鏡を使用する者は、マスクから漏れた吐息によって、眼鏡が曇ってしまう問題もあった。一方、特許文献２記載の鼻腔拡張マスクの発明は、上記の様な問題は低減できるものの、鼻腔拡張機能の取り外しができないため、鼻腔拡張機能のみ、又はマスクのみという使用ができない。そのため、市販されている様々な機能を付加したマスクを使用したい場合は、その都度、その機能を付加した鼻腔拡張マスクを製造しなければならず、汎用性に欠ける問題があった。
【０００７】
本発明は上記のような従来の問題を解決するもので、本発明の目的は、マスクの装着時に併せて鼻腔拡張テープを使用する場合、マスクと接合することによりマスクの気密性を高めると共に、様々なマスクと接合できる鼻腔拡張テープを提供することにある。
【課題を解決するための手段】
【０００８】
本発明に係る鼻腔拡張テープは、鼻に貼付し、鼻腔を拡張させる鼻腔拡張テープであって、
前記鼻腔拡張テープの表面に接合層を備え、前記接合層がマスクの鼻当部と接合することを特徴とする。
【０００９】
請求項２に記載の本発明の鼻腔拡張テープは、前記鼻腔拡張テープは、前記鼻腔拡張テープの裏面に、両面テープから構成されている粘着層と、前記接合層と前記粘着層に挟持されている弾性部材と、を備え、鼻の皮膚に鼻の外側から粘着されると共に、曲げられた前記弾性部材の弾性力により鼻腔を拡張させることを特徴とする。
【００１０】
請求項３に記載の本発明の鼻腔拡張テープは、前記接合層は、該接合層の表面が面ファスナーの雄部材であることを特徴とする。
【００１１】
請求項４に記載の本発明の鼻腔拡張テープは、前記面ファスナーの雄部材は、マッシュルーム状であることを特徴とする。
【００１２】
請求項５に記載の本発明の鼻腔拡張テープは、前記接合層は、該接合層の表面に接着剤が塗布されていることを特徴とする。
【発明の効果】
【００１３】
本発明の鼻腔拡張テープによれば、マスクと鼻腔拡張テープを併用して使用する際に、吐息がマスクの鼻当部周辺から漏れることを減少させる等、気密性高めることができる。それに伴い、マスク装着時に眼鏡を使用する者は、マスクから漏れた吐息によって、眼鏡が曇るということを防ぐことができる。また、市販されている様々な機能を付加したマスクと、鼻腔拡張テープを使用したい場合は、それらを自由に組合せることができるため、鼻腔拡張マスクと比べて汎用性の高さを実現することができる。
【図面の簡単な説明】
【００１４】
【図１】本発明の一実施例における鼻腔拡張テープの接合層、弾性部材、粘着層を示す斜視図である。
【図２】本発明の一実施例における鼻腔拡張テープの接合層の一例を示す断面図である。
【図３】本発明の一実施例における鼻腔拡張テープと併用するマスクの一例を示す正面図である。
【図４】本発明の一実施例における鼻腔拡張テープの使用状態を示す正面図である。
【発明を実施するための形態】
【００１５】
図１は、本発明の一実施例における鼻腔拡張テープの接合層、弾性部材、粘着層の斜視図を示す。図２は、本発明の一実施例における鼻腔拡張テープの接合層の一例の断面図を示す。図３は、本発明の一実施例における鼻腔拡張テープと併用するマスクの一例の正面図を示す。
【００１６】
図１に示すように、鼻腔拡張テープ１０は、マスク５０と鼻腔拡張テープ１０を接合させる接合層２０、両面テープから構成され、鼻の皮膚に鼻の外側から粘着させる粘着層４０、接合層２０と粘着層４０に挟持されている弾性部材３０からなる。
【００１７】
接合層２０の表面は、面ファスナーの雄部材２１から構成されている。マスク５０が不織布製等の場合は、脱着が容易な面ファスナーの雄部材２１を使用することが好ましい。さらに好ましくは、図２に示すように面ファスナーの雄部材２１がマッシュルーム状に形成されていることである。一般的に面ファスナーの雄部材はカギ状に形成されていることが多いが、この場合では、面ファスナーの雄部材の表面を触る際に引っ掛かりがあるため、手触りが良好とはいえない。それに比べてマッシュルーム状の面ファスナーの雄部材２１は、その表面を触る際に引っ掛かりが少ないため、手触りが良好といえる。その上、カギ状の雄部材と比べて、マッシュルーム状の雄部材２１は、接合層２０を薄く形成することができる。
【００１８】
一方、鼻腔拡張テープ１０とマスク５０を接合させるためには、接合層２０の表面に接着材を塗布してもよい。この方法の利点としては、面ファスナーを利用する場合と比べて、安価に製造することができる点である。また、マスク５０が不織布製以外であり、鼻腔拡張テープ１０とマスク５０を接合させるために面ファスナーを利用することができないような素材の場合にも有効となる。なお、接合層２０の表面に接着剤を塗布する場合であって、鼻腔拡張テープ１０とマスク５０を数回脱着したい場合には、接着剤の粘着力を調整することによって、数回の脱着が可能となる。
【００１９】
弾性部材３０は、樹脂製である。その中でも、ポリエチレンテレフタレート製が弾性力や製造コスト等の点から好ましい。
【００２０】
粘着層４０は、両面テープになっており、両面テープの一面は接合層２０及び弾性部材３０を粘着させ、もう一面は皮膚に粘着させるために構成されている。
【００２１】
マスク５０は、略長方形の不織布製であり、両端に耳掛け用の紐が備えられている。マスク５０が不織布製等であれば、面ファスナーを用いた接合層２０と接合することができる。また、不織布製ではなくても、接合層２０の表面に接着剤を塗布することにより、マスク５０と接合層２０を接合することができる。本発明に係る鼻腔拡張テープ１０が接合できるマスク５０の形状は、図３に示される形状に限られるものではない。例えば、立体型マスク等の形状でも、対応することが可能である。
【００２２】
鼻当部５１は、マスク５０を装着したときに、鼻と接触するマスク５０の部分をいう。鼻当部５１と接合層２０が接合することによって、マスク５０の気密性を高めることができる。また、鼻当部５１は、鼻と接触するマスク５０の部分なので、マスク５０の形状によって、鼻当部５１がマスク５０のどこに位置するかという点において異なることがある。しかし、いずれのマスク５０であっても、鼻当部５１が接合層２０と接合するという機能の点においては共通する。
【００２３】
図４は、本発明の一実施例における鼻腔拡張テープの使用状態の正面図を示す。
【００２４】
本発明の一実施例に係る鼻腔拡張テープ１０の使用方法は、まず、通常の鼻腔拡張テープと同様、鼻腔拡張テープ１０を鼻に貼付する。その後、マスク５０を装着し、マスク５０の鼻当部５１周辺を、マスク５０の上から手でしっかりと押さえて、鼻腔拡張テープ１０の接合層２０とマスク５０の鼻当部５１を接合させる。上記の操作により、鼻腔拡張テープ１０とマスク５０を接合させることができる。この操作により、マスク５０の気密性を高め、吐息がマスク５０の鼻当部５１周辺から漏れることを減少させることが可能となる。それに伴い、マスク５０装着時に眼鏡を使用する者は、マスク５０から漏れた吐息によって、眼鏡が曇るということを防ぐことができる。また、市販されている様々な機能を付加したマスクを使用したい場合も、それらを自由に組合せることが可能となる。また、鼻腔拡張テープ１０の接合層２０に、面ファスナーを利用した場合や、脱着可能な接着剤を塗布している場合は、マスク５０を鼻腔拡張テープ１０から容易に取り外すことができるため、マスク５０と鼻腔拡張テープ１０を併用している途中から鼻腔拡張テープ１０のみで使用すること等も可能となる。
【符号の説明】
【００２５】
１０      鼻腔拡張テープ
２０      接合層
２１      面ファスナーの雄部材
３０      弾性部材
４０      粘着層
５０      マスク
５１      鼻当部
【図１】
2015024039.tif 000003
【図２】
2015024039.tif 000004
【図３】
2015024039.tif 000005
【図４】
2015024039.tif 000006